(57)【要約】【課題】コンピュータから離れた場所においてまたは目が塞がれた状態などのとき、装置の動作状態を認識できるディスク装置を提供することを目的とする。【解決手段】上位制御装置からの命令に応じて、ディスクに対しデータの記録・読み出しを行うディスク装置において、前記上位制御装置からの制御命令を受信する受信手段と、受信した制御命令を解析する解析手段と、発生音となる音声データが前記制御命令の解析結果に対応して記憶される音声データ記憶手段と、前記解析手段による解析結果に対応した音声データを、前記音声データ記憶手段から読み出し、これに基づいて音声信号を出力する出力手段とを備えるディスク装置を提供する。【選択図】　　　図１
2004022159.tif 000002
【特許請求の範囲】
【請求項１】
上位制御装置からの命令に応じて、ディスクに対しデータの記録・読み出しを行うディスク装置において、
前記上位制御装置からの制御命令を受信する受信手段と、
受信した制御命令を解析する解析手段と、
発生音となる音声データが前記制御命令の解析結果に対応して記憶される音声データ記憶手段と、
前記解析手段による解析結果に対応した音声データを、前記音声データ記憶手段から読み出し、これに基づいて音声信号を出力する出力手段とを備えることを特徴とするディスク装置。
【請求項２】
請求項１において、前記音声データ記憶手段は、前記解析結果に対応する音列を示すデータを記憶する第１の記憶手段と、前記音列の発音の単位となる発音源データを記憶する第２の記憶手段とを備え、
前記出力手段は、前記第１の記憶手段から、前記解析結果に対応するデータを抽出し、このデータに基づいて、第２の記憶手段に記憶された発音源データを抽出して音声データを生成し、この音声データに基づいた音声信号を出力することを特徴とするディスク装置。
【請求項３】
上位制御装置からの命令に応じて、ディスクに対しデータの記録・読み出しを行うディスク装置において、
前記上位制御装置からの制御命令を受信する受信手段と、
受信した制御命令を解析する解析手段と、
発生音となる音声データが前記制御命令の解析結果に対応して記憶される音声データ記憶手段と、
前記解析手段による解析結果に対応した音声データを、前記音声データ記憶手段から読み出し、これに基づいて音声信号を出力する出力手段としてコンピュータを機能させるためのプログラム。
【請求項４】
請求項３に記載のプログラムを記憶したコンピュータ読み取り可能な記憶媒体。
【発明の詳細な説明】
【０００１】
【発明の属する技術分野】
本発明は、上位制御装置と接続され、この上位制御装置からの制御命令に応じて、ディスクにデータの記録・再生又は消去を行うディスク装置に関する。
【０００２】
【従来の技術】
従来より、コンピュータに内蔵されたディスク装置や、コンピュータに外部接続されたディスク装置において、ディスクに記録を行ったり、ディスクからデータの再生を行ったりする際に、その動作の内容をディスプレイに表示するものがある。この表示によって、操作者は、今、ディスク装置が何を行っているのかを認識することができる。
【０００３】
しかしながら、従来の装置においては、コンピュータから離れた場所においては、ディスプレイの表示を確認することができず、ディスク装置が何を行っているのかを認識することはできなかった。また、目が塞がれた状態などの時も、ディスク装置が何を行っているのかを認識することはできなかった。
【０００４】
【発明が解決しようとする課題】
そこで、本発明は、上述の問題点を鑑みなされたもので、聴覚によって、装置の動作状態を認識できるディスク装置を提供することを目的とする。
【０００５】
【課題を解決するための手段】
上記課題を解決するために、本発明は、上位制御装置からの命令に応じて、ディスクに対しデータの記録・読み出しを行うディスク装置において、前記上位制御装置からの制御命令を受信する受信手段と、受信した制御命令を解析する解析手段と、発生音となる音声データが前記制御命令の解析結果に対応して記憶される音声データ記憶手段と、前記解析手段による解析結果に対応した音声データを、前記音声データ記憶手段から読み出し、これに基づいて音声信号を出力する出力手段とを備えるディスク装置を提供する。
【０００６】
このディスク装置によれば、上位制御装置からの制御命令を受信し、受信した制御命令を解析し、解析結果に対応した音声データを読み出し、これに基づいて音声信号を出力する。
【０００７】
好ましい態様において、前記音声データ記憶手段は、前記解析結果に対応する音列を示すデータを記憶する第１の記憶手段と、前記音列の発音の単位となる発音源データを記憶する第２の記憶手段とを備え、前記出力手段は、前記第１の記憶手段から、前記解析結果に対応するデータを抽出し、このデータに基づいて、第２の記憶手段に記憶された発音源データを抽出して音声データを生成し、この音声データに基づいた音声信号を出力するようにしても良い。
【０００８】
また本発明は、上位制御装置からの命令に応じて、ディスクに対しデータの記録・読み出しを行うディスク装置において、前記上位制御装置からの制御命令を受信する受信手段と、受信した制御命令を解析する解析手段と、発生音となる音声データが前記制御命令の解析結果に対応して記憶される音声データ記憶手段と、前記解析手段による解析結果に対応した音声データを、前記音声データ記憶手段から読み出し、これに基づいて音声信号を出力する出力手段としてコンピュータを機能させるためのプログラムを提供する。
【０００９】
このプログラムによれば、上位制御装置からの制御命令を受信し、受信した制御命令を解析し、解析結果に対応した音声データを読み出し、これに基づいて音声信号を出力する。
【００１０】
また本発明は、上位制御装置からの命令に応じて、ディスクに対しデータの記録・読み出しを行うディスク装置において、前記上位制御装置からの制御命令を受信する受信手段と、受信した制御命令を解析する解析手段と、発生音となる音声データが前記制御命令の解析結果に対応して記憶される音声データ記憶手段と、前記解析手段による解析結果に対応した音声データを、前記音声データ記憶手段から読み出し、これに基づいて音声信号を出力する出力手段としてコンピュータを機能させるためのプログラムを記憶した記憶媒体を提供する。
【００１１】
この記憶媒体によれば、上位制御装置からの制御命令を受信し、受信した制御命令を解析し、解析結果に対応した音声データを読み出し、これに基づいて音声信号を出力する。
【００１２】
【発明の実施の形態】
１．第１実施形態
以下、図面を参照して、本発明の実施形態について説明する。かかる実施の形態は、本発明の一態様を示すものであり、この発明を限定するものではなく、本発明の範囲内で任意に変更可能である。
＜Ａ：構成＞
図１は、本実施形態の光ディスク装置１の全体構成を示す図である。
光ディスク装置１は、ホストコンピュータＧとインターフェース６を介して接続される。
インターフェース６は、ホストコンピュータＧとＣＰＵ２との間のデータの授受を制御する。
ＣＰＵ２は、ホストコンピュータＧから供給された制御命令に基づいて、ＲＯＭ１５に記憶されたプログラムを実行することにより、光ディスク装置１の装置各部の制御を行う。
【００１３】
ＲＯＭ１５には、光ディスク装置１を制御するための所定の制御プログラムが記憶されている。本実施形態においては、ホストコンピュータＧからの制御命令に対応した案内音声を出力するようにしており、この案内音声を出力するプログラムや、そのプログラムに従って使用する各種データもＲＯＭ１５に記憶されている。ＲＯＭ１５には、図２に示すようにアドレスファイル１５ａと、音声データファイル１５ｂとが記憶されている。音声データファイル１５ｂには、案内音声を出力する処理において用いられる音声データが記憶され、アドレスファイル１５ａには、各音声データの先頭アドレスが記憶されている。
音声データファイル１５ｂに記憶されている音声データは、例えば、図２に示すように、「きろくします」、「さいせいします」等のように光ディスク装置１の動作状態を示すメッセージを表す音声のデータである。
【００１４】
ＲＡＭ５は、ＣＰＵ２の各種動作において処理されるデータを、一時的に蓄積する。
【００１５】
プロセッサ１３は、ＣＰＵ２の制御の下で、供給された書込用データをＥＦＭ信号に変換して、ドライバ１１に供給する。ドライバ１１は、供給されたＥＦＭ信号に基づいて、書込信号を生成し、光ヘッドＨに供給する。また、ドライバ１１は、スレッドモータ１０を回転駆動させる。スレッドモータ１０の回転は、スレッドスクリューシャフト１４に伝達され、スレッドスクリューシャフト１４の回転により、光ヘッドＨは光ディスクＤの半径方向に移動可能となって、データの書込を行う。
光ヘッドＨは、図示は省略するがレーザダイオード、フォトディテクタ、対物レンズ、２軸アクチュエータ等の構成要素を備えている。
【００１６】
また、プロセッサ１３は、ＣＰＵ２の制御の下で、光ディスクＤに記録されたデータの読み出し指示を、ドライバ１１に対して行う。ドライバ１１は、読み出し指示に基づき、スレッドモータ１０を回転駆動させ、光ヘッドＨを駆動させる。これにより、光ヘッドＨは、読出信号を得て、これをＲＦアンプ１２に供給する。ＲＦアンプ１２は、読出信号をＲＦ信号に変換し、プロセッサ１３に供給する。プロセッサ１３は、ＥＦＭ変調されているＲＦ信号を、ＥＦＭ復調して読出データに変換し、ＲＡＭ５に記憶する。
【００１７】
Ｄ／Ａコンバータ１６は、ＣＰＵ２の制御の下で、供給された音声データを、デジタルデータからアナログ音声信号に変換し、これを増幅回路１７に供給する。増幅回路１７は、供給されたアナログ音声信号を増幅してスピーカ１８及び／又はヘッドフォン２０に供給する。
以上が光ディスク装置１の電気的構成である。
【００１８】
＜Ｂ：動作＞
次に、光ディスク装置１の動作について説明する。図３は、以下の動作を概略的に示したフローチャートである。以下同図に従って説明する。
（１）記録指示
ＣＰＵ２は、インターフェース６を介してホストコンピュータＧからの制御命令を検出すると、その制御命令が何であるかを解析する解析処理を行う（ステップＳ１０）。そして、その解析の結果に基づいて、アドレスファイル１５ａを参照する。例えば、その制御命令が光ディスクＤに対する記録指示であると判定すると、図２に示すように、アドレスファイル１５ａを参照して、アドレスＡＤ１を得る（ステップＳ１１）。そしてこのアドレスに基づいて、ＲＯＭ１５に記憶されている音声データファイル１５ｂを参照する。図２に示すように、アドレスＡＤ１に対応する音声データは、「きろくします」という音声データであるため、この音声データを抽出する（ステップＳ１２）。
【００１９】
次に、ＣＰＵ２は、抽出した音声データをＤ／Ａコンバータ１６に供給する（ステップＳ１３）。Ｄ／Ａコンバータ１６は、供給された音声データを、デジタルデータからアナログ音声信号に変換し、これを増幅回路１７に供給する。増幅回路１７は、供給されたアナログ音声信号を増幅してスピーカ１８に供給する（ステップＳ１４）。すると、「きろくします」という音声が、スピーカ１８から放音される。
【００２０】
また、上述の処理と同時に、ＣＰＵ２は、ホストコンピュータＧへ、記録指示に対して了解したという応答を、インターフェース６を介して返す。この応答に対して、ホストコンピュータＧからインターフェース６を介して、記録すべきデータが供給される。ＣＰＵ２は、供給されたデータをＲＡＭ５に一時的に蓄積する。そして、このデータを、プロセッサ１３に供給する。プロセッサ１３は、供給されたデータをＥＦＭ信号に変換して、ドライバ１１に供給する。ドライバ１１は、供給されたＥＦＭ信号に基づいて、書込信号を生成し、光ヘッドＨに供給する。また、ドライバ１１は、スレッドモータ１０を回転駆動させる。このスレッドモータ１０の回転は、スレッドスクリューシャフト１４に伝達され、スレッドスクリューシャフト１４の回転により、光ヘッドＨは光ディスクＤの半径方向に移動可能となって、データの書込を行う。
【００２１】
（２）読み出し指示
また、ＣＰＵ２は、上述の解析処理において、ホストコンピュータＧからの制御命令を解析した結果、例えば、その制御命令が、光ディスクＤに記録されたデータの読み出し指示であると判定すると、図２に示すように、アドレスファイル１５ａを参照して、アドレスＡＤ２を得る。そしてこのアドレスに基づいて、音声データファイル１５ｂを参照する。図２に示すように、アドレスＡＤ１に対応する音声データは、「さいせいします」という音声データであるため、この音声データを抽出する。
【００２２】
次に、ＣＰＵ２は、抽出した音声データをＤ／Ａコンバータ１６に供給する。以降、上述の（１）記録指示と同様の動作を行う。すると、「さいせいします」という音声が、スピーカ１８から放音される。
【００２３】
なお、上述の処理と同時に、ＣＰＵ２は、光ディスクＤに記録されたデータの読み出しを、プロセッサ１３に指示する。プロセッサ１３は、ドライバ１１を制御して、読み出し指示に基づき、スレッドモータ１０を回転駆動させ、光ヘッドＨを駆動させる。この結果、光ヘッドＨは、読出信号を得て、これをＲＦアンプ１２に供給する。ＲＦアンプ１２は、読出信号をＲＦ信号に変換し、プロセッサ１３に供給する。プロセッサ１３は、ＲＦ信号を、ＥＦＭ復調して読出データに変換し、ＲＡＭ５に記憶する。次いで、ＣＰＵ２は、ＲＡＭ５に記憶された読出データを、インターフェース６を介してホストコンピュータＧへ供給する。
【００２４】
（３）停止指示
また、ＣＰＵ２は、上述の解析処理において、ホストコンピュータＧからの制御命令を解析した結果、例えば、その制御命令が、動作停止指示であると判定すると、図２に示すように、アドレスファイル１５ａを参照して、アドレスＡＤ３を得る。そしてこのアドレスに基づいて、音声データファイル１５ｂを参照する。図２に示すように、アドレスＡＤ３に対応する音声データは、「ていしします」という音声データであるため、この音声データを抽出する。
【００２５】
次に、ＣＰＵ２は、抽出した音声データをＤ／Ａコンバータ１６に供給する。以降、上述の（１）記録指示と同様の動作を行う。すると、「ていしします」という音声が、スピーカ１８から放音される。
【００２６】
なお、上述の処理と同時に、ＣＰＵ２は、動作停止を、プロセッサ１３に指示する。プロセッサ１３は、ドライバ１１を制御して、動作停止指示に基づき、スレッドモータ１０の回転を停止させ、光ヘッドＨの駆動を停止させる。これにより、記録動作又は読み出し動作が停止される。
【００２７】
本実施形態によれば、ホストコンピュータＧから光ディスク装置１に対して行われる制御命令によって、光ディスク装置１の動作状態を捉える。そして、この光ディスク装置１の動作状態を、音声で報知する。このような処理により、操作者は、光ディスク装置１の動作状態を聴覚により認識することができる。
【００２８】
２．第２実施形態
＜Ａ：構成＞
次に、本発明の第２実施形態について説明する。この実施形態が前述した第１実施形態と異なるのは、音声を合成する音声合成部１９（第４図参照）を有している点と、音声を出力する処理において用いる音声元データファイル１５ｃと、音声源ファイル１５ｄとがＲＯＭ１５内に記憶されている点である。
【００２９】
音声元データファイル１５ｃには、ホストコンピュータＧからの指示と対応付けられて、音声メッセージの元となるデータが記憶されている。例えば、図５に示すように、データ記録指示に対応して、「きろくします」というデータが記憶されている。
音声源ファイル１５ｄには、音声源データが記憶されている。音声源データは、図５に示すように、１音毎の音声のデータであり、日本語ならば「あ」、「い」「う」等の音声波形のデータである。
【００３０】
音声合成部１９は、ＣＰＵ２の制御の元で、供給された音声元データに基づいて、音声源ファイル１５ｄを参照し、各音声源データを抽出して音声データを生成する。そして、これをＤ／Ａコンバータ１６に供給する。
なお、他の構成については、上記第１実施形態と共通するため、その説明を省略する。
【００３１】
＜Ｂ：動作＞
次に、光ディスク装置１の動作について説明する。図６は、本実施形態の動作を概略的に示したフローチャートである。以下同図に従って説明する。
ＣＰＵ２は、インターフェース６を介してホストコンピュータＧからの制御命令を検出すると、その制御命令が何であるかを解析する解析処理を行う（ステップＳ３０）。そして、その解析の結果、例えば、その制御命令が、光ディスクＤに対する記録指示であると判定すると、音声元データファイル１５ｃを参照し、その指示に対応する音声元データを抽出する（ステップＳ３１）。この場合、図５に示すように、「きろくします」という音声元データが抽出される。
【００３２】
次に、ＣＰＵ２は、抽出した音声元データを音声合成部１９に供給する。音声合成部１９は、音声源ファイル１５ｄを参照して、供給された音声元データから音声データを生成する（ステップＳ３２）。例えば「きろくします」について、音声源ファイル１５ｄから、「き」、「ろ」、「く」、「し」、「ま」、「す」という１音毎の音声源データを抽出し、それらを合成して「きろくします」という音声データを生成する。次いで、音声合成部１９は、生成された音声データをＤ／Ａコンバータ１６に供給する。Ｄ／Ａコンバータ１６は、供給された音声データを、デジタルデータからアナログ音声信号に変換し（ステップＳ３３）、これを増幅回路１７に供給する。増幅回路１７は、供給されたアナログ音声信号を増幅してスピーカ１８に供給する（ステップＳ３４）。すると、「きろくします」という音声が、スピーカ１８から放音される。
【００３３】
その他の動作については上述の第１実施形態と同様であるため、説明は省略する。
また、ホストコンピュータＧからＣＰＵ２に対するその他の制御命令についても、上述の案内音声出力処理と同様の処理を行えばよい。
【００３４】
＜Ｃ：変形例＞
例えばコンピュータＧがパーソナルコンピュータである場合には、このパーソナルコンピュータを起動させる際に入力されるログイン名を、音声出力するようにしても良い。
具体的には、パーソナルコンピュータは、光ディスク装置１のＣＰＵ２に、制御命令と共にこのログイン名情報を、インターフェース６を介して供給する。ＣＰＵ２は、供給されたログイン名情報に基づいて、音声源ファイル１５ｄを参照して各音声源データを抽出し、これらを合成して音声データを生成する。例えば、ログイン名が「はなこ」である場合、「は」「な」「こ」という音声源データを抽出し、これらを合成して「はなこ」という音声データを生成する。そして、ＣＰＵ２は、この音声データと、上述の処理のように生成された、制御命令に対応する音声データとをＤ／Ａコンバータ１６に供給する。そして、上述の処理と同様に処理されると、例えば「はなこさん、データをきろくします」等という音声が、スピーカ１８から放音される。
【００３５】
このような構成によれば、操作者は自分のログイン名が音声出力されるので、より一層親しみを感じながら、光ディスク装置１の動作状態を聴覚により認識することができる。
【００３６】
３．第３実施形態
＜Ａ：構成＞
次に、第３実施形態について説明する。
ＲＯＭ１５には、上述の第２実施形態における音声元データファイル１５ｃと、音声源ファイル１５ｄとに替えて、音声符号化データファイル１５ｆと、音声コードファイル１５ｅとが記憶されている。
音声符号化データファイル１５ｆには、ホストコンピュータＧからの制御命令と対応付けられて、音声符号化データが記憶されている。音声符号化データは、「きろくします」「さいせいします」等のメッセージを、図７に示すように、音声コードによって符号化したものである。
音声コードファイル１５ｅには、音声コードデータが記憶されている。音声コードデータは、１コードにつき１発音の音声源データが対応付けられたものである。例えば図７に示すように、音声コード＝１１に対して「あ」の音声源データ、音声コード＝１２に対して「い」の音声源データが対応付けられている。
音声合成部１９は、ＣＰＵ２の制御の元で、供給された音声符号化データに基づいて、音声コードファイル１５ｅを参照して、各音声コードを各音声源データに変換し、これらを合成して音声データを生成する。そして、これをＤ／Ａコンバータ１６に供給する。なお、他の構成については、上記第２実施形態と共通するため、その説明を省略する。
【００３７】
＜Ｂ：動作＞
次に、光ディスク装置１の動作について説明する。図８は、本実施形態の動作を概略的に示したフローチャートである。以下同図に従って説明する。
ＣＰＵ２は、インターフェース６を介してホストコンピュータＧからの制御命令を検出すると、その制御命令が何であるかを解析する解析処理を行う（ステップＳ５０）。そして、その解析の結果、例えば、その制御命令が、光ディスクＤに対する記録指示であると判定すると、音声符号化データファイル１５ｆを参照し、その指示に対応する音声符号化データを抽出する（ステップＳ５１）。この場合、図７に示すように、「２２９５２３３２７１３３」という音声符号化データが抽出される。
【００３８】
次に、ＣＰＵ２は、抽出した音声データを音声合成部１９に供給する。音声合成部１９は、音声コードファイル１５ｅを参照して、供給された音声符号化データから音声データを生成する（ステップＳ５２）。例えば「２２９５２３３２７１３３」について、２２→き、９５→ろ、２３→く、３２→し、７１→ま、３３→す、のように、音声コードを１音ずつ変換し、これらを合成して、「きろくします」という音声データを生成する。次いで、音声合成部１９は、生成された音声データをＤ／Ａコンバータ１６に供給する。Ｄ／Ａコンバータ１６は、供給された音声データを、デジタルデータからアナログ音声信号に変換し（ステップＳ５３）、これを増幅回路１７に供給する。増幅回路１７は、供給されたアナログ音声信号を増幅してスピーカ１８に供給する（ステップＳ５４）。すると、「きろくします」という音声が、スピーカ１８から放音される。
【００３９】
その他の動作については上述の第１実施形態と同様であるため、説明は省略する。
また、ホストコンピュータＧからＣＰＵ２に対するその他の制御命令についても、上述の案内音声出力処理と同様の処理を行えばよい。
【００４０】
以上この発明の実施形態について説明したが、上記各実施形態には以下の効果がある。すなわち、各実施形態において、上位制御装置が出力する制御命令は、当該上位制御装置がもともと持っている制御命令であり、何ら加工を要しない。つまり、上位制御装置に対し、全く負担を掛けることなく、この発明を実施することができる。
また、上記実施形態はあくまでも例示であり、上記実施形態に対しては、本発明の趣旨から逸脱しない範囲で様々な変形を加えることができる。例えば以下のような変形が可能である。
（１）ホストコンピュータＧは、光ディスク装置１と接続ケーブル及び接続端子によって外部接続される構成であっても良いし、光ディスク装置１を内蔵する構成であっても良い。また、ホストコンピュータＧに替えて、パーソナルコンピュータ、カラオケ装置等の情報処理装置を用いても良い。
（２）また、ホストコンピュータＧからＣＰＵ２への指示に対応する音声は、次にホストコンピュータＧからＣＰＵ２へ指示があるまで、繰り返し出力するようにしても良い。
（３）また、案内音声の出力をＯＮ／ＯＦＦさせるスイッチを設けても良い。このような構成によって、案内音声の必要がないときには、スイッチをＯＦＦにすると、案内音声が出力されず、案内音声の必要があるときには、スイッチをＯＮにすると、案内音声が出力される。
（４）また、データの記録の方式としては、光磁気型や相変化型、熱によるピット形成など従来より各種存在し、本発明はそれら何れの方式にも適用可能である。従って、本発明のディスク装置は、光ディスクに限らず、磁気ディスク等他のディスクに対して記録、再生、フォーマットできる構成であっても良い。
（５）ＲＯＭ１５に代えて、半導体メモリを用いた着脱可能な記憶媒体（メモリーカード）を用いても良い。この場合には、異なる記憶内容のメモリーカードを適宜差し替えることにより、ホストコンピュータＧ（上位制御装置）の制御命令に対する音声データを適宜切り換えることができる。さらに、メモリーカードの記憶内容を書き換えるようにしても良い。
【００４１】
【発明の効果】
以上説明したように、本発明によれば、操作者に、上位制御装置からディスク装置に対する制御命令を、聴覚的に認識させることができる。
【図面の簡単な説明】
【図１】本発明の一実施形態における光ディスク装置の全体構成を示すブロック図である。
【図２】同実施形態におけるデータファイルを模式的に示す図である。
【図３】同実施形態における案内音声出力処理を概略的に示すフローチャート図である。
【図４】本発明の一実施形態における光ディスク装置の全体構成を示すブロック図である。
【図５】同実施形態におけるデータファイルを模式的に示す図である。
【図６】同実施形態における案内音声出力処理を概略的に示すフローチャート図である。
【図７】本発明の一実施形態におけるデータファイルを模式的に示す図である。
【図８】同実施形態における案内音声出力処理を概略的に示すフローチャート図である。
【符号の説明】
１・・・光ディスク装置
２・・・ＣＰＵ
３・・・ドライバ
４・・・スピンドルモータ
５・・・ＲＡＭ
６・・・インターフェース
１０・・・スレッドモータ
１１・・・ドライバ
１２・・・ＲＦアンプ
１３・・・プロセッサ
１４・・・スレッドスクリューシャフト
１５・・・ＲＯＭ
１５ａ・・・アドレスファイル
１５ｂ・・・音声データファイル
１５ｃ・・・音声元データファイル
１５ｄ・・・音声源ファイル
１５ｅ・・・音声コードファイル
１５ｆ・・・音声符号化データファイル
１６・・・Ｄ／Ａコンバータ
１７・・・増幅回路
１８・・・スピーカ
１９・・・音声合成回路
２０・・・ヘッドフォン
Ｈ・・・光ヘッド
Ｇ・・・情報処理装置
【図１】
2004022159.tif 000003
【図２】
2004022159.tif 000004
【図３】
2004022159.tif 000005
【図４】
2004022159.tif 000006
【図５】
2004022159.tif 000007
【図６】
2004022159.tif 000008
【図７】
2004022159.tif 000009
【図８】
2004022159.tif 000010